(57)【特許請求の範囲】
【請求項１】
外周面を近接させて平行に設けられた複数の回転胴間で、連続紙を予め定められた長さの被切断紙に切断し、さらに外周面が対向する回転胴に設けられた差し刃によって差し入れられるこの被切断紙の長さ方向の中間部を咥えることによって、被切断紙を回転胴の中心線と平行に折り畳む、輪転機の折部の咥え装置において、
回転胴の中心線と平行に回転胴の外周面に開口する溝と、
回転胴の中心線と平行な中心線周りに角変位可能であるように前記溝内に回転胴の中心線と略平行にして回転胴の中心線と平行な方向の複数個所に設けられた可動咥え部材と、
この各可動咥え部材が角変位して接近したときに、各可動咥え部材との間に前記被切断紙の長さ方向の中間部を咥えるべく前記溝の開口部の回転胴の中心線と略平行な一側部の複数個所に設けられた固定咥え部材と、
を有し、
前記可変咥え部材は、角変位してその各個の咥え作用部が固定咥え部材の咥え作用部に、両者の間隔が咥えられる被切断紙の厚さより小さくなるように接近可能に、かつ被切断紙の印刷されない部位及び多くともこれに隣接する部位を咥える可動咥え部材の咥え作用部と固定咥え部材の咥え作用部との間隔が、被切断紙の他の部位を咥える可動咥え部材の咥え作用部と固定咥え部材の咥え作用部との間隔より狭く設けられたことを特徴とする、輪転機の折部の咥え装置。
【請求項２】
被切断紙の印刷されない部位及び多くともこれに隣接する部位を咥える可動咥え部材の咥え作用部が、被切断紙の他の部位を咥える可動咥え部材の咥え作用部より、被切断紙を咥える固定咥え部材の咥え作用部に対して作用方向に接近させて設けられた、請求項１に記載の輪転機の折部の咥え装置。
【請求項３】
被切断紙の印刷されない部位及び多くともこれに隣接する部位を咥える固定咥え部材の咥え作用部が、被切断紙の他の部位を咥える固定咥え部材の咥え作用部より、被切断紙を咥える可動咥え部材の咥え作用部に対して作用方向に接近させて設けられた、請求項１に記載の輪転機の折部の咥え装置。
【請求項４】
被切断紙の印刷されない部位及び多くともこれに隣接する部位を咥える可動咥え部材の咥え作用部が、被切断紙の他の部位を咥える可動咥え部材の咥え作用部より、被切断紙を咥える固定咥え部材の咥え作用部に対して作用方向に接近させて設けられるとともに、被切断紙の印刷されない部位及び多くともこれに隣接する部位を咥える固定咥え部材の咥え作用部が、被切断紙の他の部位を咥える固定咥え部材の咥え作用部より、被切断紙を咥える可動咥え部材の咥え作用部に対して作用方向に接近させて設けられた、請求項１に記載の輪転機の折部の咥え装置。
【請求項５】
被切断紙の印刷されない部位及び多くともこれに隣接する部位を咥える可動咥え部材の咥え作用部が、被切断紙を咥える固定咥え部材の咥え作用部に向かって突起した突起部で設けられた、請求項１、請求項２または請求項４に記載の輪転機の折部の咥え装置。
【請求項６】
被切断紙の印刷されない部位及び多くともこれに隣接する部位を咥える固定咥え部材の咥え作用部が、被切断紙を咥える可動咥え部材の咥え作用部に向かって突起した突起部で設けられた、請求項１、請求項３または請求項４に記載の輪転機の折部の咥え装置。
【請求項７】
被切断紙の印刷されない部位及び多くともこれに隣接する部位を咥える可動咥え部材の咥え作用部が、被切断紙を咥える固定咥え部材の咥え作用部に向かって突起した突起部で設けられるとともに、被切断紙の印刷されない部位及び多くともこれに隣接する部位を咥える固定咥え部材の咥え作用部が、被切断紙を咥える可動咥え部材の咥え作用部に向かって突起した突起部で設けられた、請求項１または請求項４に記載の輪転機の折部の咥え装置。
【請求項８】
可動咥え部材の咥え作用部及び固定咥え部材の咥え作用部における被切断紙の印刷されない部位及び多くともこれに隣接する部位に対応する部位が、被切断紙の幅方向両側縁近辺に対応する部位である、請求項１乃至請求項８のいずれかに記載の輪転機の折部の咥え装置。
【発明の詳細な説明】
【０００１】
【発明の属する技術分野】
この発明は、輪転機の折部に設けられる咥え装置に関し、詳細には、紙が抜け落ちることがないようしっかり咥えることが可能で、しかも、この咥えによって、接触する印刷面の画像が互いに転写することがない咥え装置に関する。
【０００２】
【従来の技術】
通常の場合、折機の咥え装置は、回転胴の外周面付近に設けられており、外周面が対向する回転胴に設けられた差し刃によって折畳み位置を固定咥え部材と可動咥え部材の間に差し入れられた紙を、固定咥え部材と可動咥え部材で差し刃もろともに咥え、次いで、差し刃が両回転胴の回転によって固定咥え部材と可動咥え部材との間をこじ開けるように作用しつつ固定咥え部材と可動咥え部材との間から抜かれる構造になっている上、咥える紙の重ね合わせられた枚数などで厚さが相違する場合が多い。
【０００３】
したがって、咥える紙の厚さの相違に対応し、また差し刃が引き抜かれた際の差し刃の厚さ分の弛みを解消するために、咥え装置は、通常の場合、可動咥え部材の支持部などに、ばねなどの反発部材を介在させ、紙が抜け落ちないように固定咥え部材と可動咥え部材とで強く咥える構造になっている。
【０００４】
しかしながら、折機の咥え装置では、紙を強く咥えた状態で、前記のように差し刃が固定咥え部材と可動咥え部材との間をこじ開けるように作用すると、差し刃と固定咥え部材との間に挟まれた紙が強く圧迫されつつ擦られ、接触している紙面間で互いの印刷画像が転写しあい、印刷品質を落し、商品価値を落している。
【０００５】
そこで、差し刃が固定咥え部材と可動咥え部材との間をこじ開けるように作用しても、接触している紙面間で互いの印刷画像が転写しあうことがないようにした、例えば、特開昭５４−６３９０４号公報及び実開昭６０−１９３３６５号の全文明細書に示されるような折機の咥え装置が提案された。
【０００６】
特開昭５４−６３９０４号公報に示されるものは、胴の外周面に開口する溝の開口部の回転胴の中心線と略平行な一側部に固定されて設けられたくわえ端（固定咥え部材）と、このくわえ端と対向しかつ平行に設けられ、くわえ端とともに紙を咥えるべく、前記溝内で、くわえ端に近接した咥え位置とそうでない位置との間を移動可能なフラップ（可動咥え部材）を有しており、更に、フラップの、くわえ端と対向する面には、ゴム弾性体の条片がこの面から突出した状態で設けられており、このゴム弾性体の条片とくわえ端との間に紙を咥えるように構成されている。
【０００７】
実開昭６０−１９３３６５号の全文明細書に示されるものは、胴の外周面に開口する溝の開口部の回転胴の中心線と略平行な一側部に固定されて設けられた咬えアゴ（固定咥え部材）と、この咬えアゴと対向しかつ平行に設けられ、咬えアゴとともに紙を咥えるべく、前記溝内で、咬えアゴに近接した咥え位置とそうでない位置との間を移動可能な咬えヘラ（可動咥え部材）を有しており、更に、咬えヘラの、咬えアゴと対向する面には、板バネに尾部を連結されたスパイクピンが咬えヘラを貫通して突出した状態で設けられている。また、咬えアゴと咬えヘラとの間に紙を差し入れる差し刃は、前記スパイクピンと対応する部分が切り欠かれており、差し刃によって差し入れられた紙は、咬えアゴと咬えヘラとによって差し刃もろとも咥えられるとともに、スパイクピンと対応する位置が、このスパイクピンと咬えアゴとによって咥えられる構造になっている。
【０００８】
【発明が解決しようとする課題】
ところで、折機の咥え装置は、回転胴の外周面付近に設けられており、紙を咥えた状態で回転胴の回転にしたがって移動し、咥えられた紙には、回転胴の角速度の二乗、回転胴の径及び紙の質量に比例する遠心力が作用する。また、咥え装置は、差し刃によって差し入れられる被切断紙の長さ方向の中間部を咥え、咥え装置を有する回転胴の回転によって咥えた紙を引き取るようになっており、この引き取りの際、咥えられた紙の先行側半分には、差し刃を有する回転胴の回転によって、咥え装置を有する回転胴から遠ざかる向きの慣性力が作用しており、この力は、咥えられた紙を咥え装置から引き抜こうとする力として作用する。
【０００９】
したがって、例えば最近の新聞用輪転機のように、稼動速度が一段と増して咥え装置を有する回転胴の角速度が速くなり、また咥えられる紙の重なり数が増加して質量が大きくなると、咥えられた紙に作用する遠心力及び前記慣性力はかなり大きいものとなり、従来と同じ力で紙を咥えるのでは、これらの力に負けて紙が抜け落ちることになる。そのため、折機の咥え装置では、紙が抜け落ちないように固定咥え部材と可動咥え部材とでこれまで以上に強い力で咥える必要があり、このように強く咥えると、前記従来の技術のいずれにおいても、咥えられた紙は、固定咥え部材と可動咥え部材とに強く押さえられた部分で、接触している紙面間で互いの印刷画像が転写しあい、印刷品質を低下させ、商品価値を低下させることになる。
【００１０】
すなわち、特開昭５４−６３９０４号公報に示されるものでは、くわえ端（固定咥え部材）とフラップ（可動咥え部材）のくわえ端と対向する面に突出した状態のゴム弾性体の条片とで挟まれた部分がこれまで以上に強く圧迫され、咥えられた紙の当該部分は、ゴム弾性体の条片にそって、接触している紙面間で互いの印刷画像が転写しあい、印刷品質を低下させ、商品価値を低下させる。
【００１１】
また、実開昭６０−１９３３６５号の全文明細書に示されるものでは、咬えアゴ（固定咥え部材）と移動可能な咬えヘラ（可動咥え部材）の咬えアゴと対向する面に突出した状態のスパイクピンとで挟まれた部分及び咬えアゴ（固定咥え部材）と移動可能な咬えヘラ（可動咥え部材）とで挟まれた部分がこれまで以上に強く圧迫され、咥えられた紙の当該部分は、スパイクピンの形状及び咬えヘラ（可動咥え部材）の形状にそって、接触している紙面間で互いの印刷画像が転写しあい、特に、咬えアゴ（固定咥え部材）とスパイクピンとで挟まれた部分は、小さな接触面積に他の部分と同じ咥え力が作用するため、より強く圧迫されて印刷画像が強く転写され、印刷品質を低下させ、商品価値を低下させる。
【００１２】
この発明は、以上記載した課題に鑑みなされたもので、折部の咥え装置において、稼動速度の増大と咥えられる紙の質量の増大によって大きくなる遠心力及び前記慣性力に対応して紙を咥える力を強くしても、咥えられる紙の接触している紙面間で互いの印刷画像が転写することなく、印刷品質を良好に維持し、商品価値を良好に維持することを可能にすることを目的としたものである。
【００１３】
【課題を解決するための手段】
この発明は、特許請求の範囲に記載された構成によって前記目的を達成しようとするものであり、その構成は、外周面を近接させて平行に設けられた複数の回転胴間で、連続紙を予め定められた長さの被切断紙に切断し、さらに外周面が対向する回転胴に設けられた差し刃によって差し入れられるこの被切断紙の長さ方向の中間部を咥えることによって、被切断紙を回転胴の中心線と平行に折り畳む、輪転機の折部の咥え装置において、回転胴の中心線と平行に回転胴の外周面に開口する溝と、回転胴の中心線と平行な中心線周りに角変位可能であるように前記溝内に回転胴の中心線と略平行にして回転胴の中心線と平行な方向の複数個所に設けられた可動咥え部材と、この各可動咥え部材が角変位して接近したときに、各可動咥え部材との間に前記被切断紙の長さ方向の中間部を咥えるべく前記溝の開口部の回転胴の中心線と略平行な一側部の複数個所に設けられた固定咥え部材と、を有し、前記可変咥え部材は、角変位してその各個の咥え作用部が固定咥え部材の咥え作用部に、両者の間隔が咥えられる被切断紙の厚さより小さくなるように接近可能に、かつ被切断紙の印刷されない部位及び多くともこれに隣接する部位を咥える可動咥え部材の咥え作用部と固定咥え部材の咥え作用部との間隔が、被切断紙の他の部位を咥える可動咥え部材の咥え作用部と固定咥え部材の咥え作用部との間隔より狭く設けられた構成になっている。
【００１４】
そしてこの構成において、被切断紙の印刷されない部位及び多くともこれに隣接する部位を咥える可動咥え部材の咥え作用部が、被切断紙の他の部位を咥える可動咥え部材の咥え作用部より、被切断紙を咥える固定咥え部材の咥え作用部に対して作用方向に接近させて設けられ、また、被切断紙の印刷されない部位及び多くともこれに隣接する部位を咥える固定咥え部材の咥え作用部が、被切断紙の他の部位を咥える固定咥え部材の咥え作用部より、被切断紙を咥える可動咥え部材の咥え作用部に対して作用方向に接近させて設けられ、また、被切断紙の印刷されない部位及び多くともこれに隣接する部位を咥える可動咥え部材の咥え作用部が、被切断紙の他の部位を咥える可動咥え部材の咥え作用部より、被切断紙を咥える固定咥え部材の咥え作用部に対して作用方向に接近させて設けられるとともに、被切断紙の印刷されない部位及び多くともこれに隣接する部位を咥える固定咥え部材の咥え作用部が、被切断紙の他の部位を咥える固定咥え部材の咥え作用部より、被切断紙を咥える可動咥え部材の咥え作用部に対して作用方向に接近させて設けられた構成となっている。
【００１５】
また、前記した輪転機の折部の咥え装置において、請求項５乃至７の発明は、被切断紙の印刷されない部位及び多くともこれに隣接する部位を咥える可動咥え部材の咥え作用部が、被切断紙を咥える固定咥え部材の咥え作用部に向かって突起した突起部で設けられ、また、被切断紙の印刷されない部位及び多くともこれに隣接する部位を咥える固定咥え部材の咥え作用部が、被切断紙を咥える可動咥え部材の咥え作用部に向かって突起した突起部で設けられ、また、被切断紙の印刷されない部位及び多くともこれに隣接する部位を咥える可動咥え部材の咥え作用部が、被切断紙を咥える固定咥え部材の咥え作用部に向かって突起した突起部で設けられるとともに、被切断紙の印刷されない部位及び多くともこれに隣接する部位を咥える固定咥え部材の咥え作用部が、被切断紙を咥える可動咥え部材の咥え作用部に向かって突起した突起部で設けられた構成になっている。
【００１６】
そしてさらに、前記各構成において、可動咥え部材の咥え作用部及び固定咥え部材の咥え作用部における被切断紙の印刷されない部位及び多くともこれに隣接する部位に対応する部位が、被切断紙の幅方向両側縁近辺に対応する部位である。
【００１７】
【作  用】
輪転機の稼動にともなって、折部では、外周面を近接されて平行に設けられた複数の回転胴が、互いに対向する周面が同一の向きで一斉に回転する。そして、連続紙が予め定められた長さの被切断紙に切断され、この被切断紙が、外周面に差し刃を備えた回転胴に、その差し刃の位置と被切断紙の長さ方向の中間部とが対応する位置関係で保持され、この回転胴の回転にしたがって移動させられる。
【００１８】
そして回転胴の回転により、回転胴の差し刃が、近接位置で回転する他の回転胴の外周面に設けられた咥え装置と対向する位置に達すると、回転胴の回転とともに移動させられる被切断紙の長さ方向の中間部が、差し刃によって、他の回転胴の外周面の溝に設けられた、咥え装置の固定咥え部材と可動咥え部材の間に中間部を差し入れられる。この、被切断紙が差し刃によって差し入れられるのとタイミングを合わせてそれまで離隔していた固定咥え部材と可動咥え部材双方の咥え作用部が、可動咥え部材の角変位によって閉じられ、咥え装置は、固定咥え部材の咥え作用部と可動咥え部材の咥え作用部との間に、被切断紙と差し刃とを咥える。
【００１９】
この咥えによって固定咥え部材の咥え作用部と可動咥え部材の咥え作用部とに挟まれた被切断紙と差し刃は、可動咥え部材の咥え作用部と固定咥え部材の咥え作用部との間隔が他より狭く設けられている被切断紙の印刷されない部位及び多くともこれに隣接する部位において、被切断紙が咥え装置から抜け落ちることがないような大きな咥え力で咥えられるとともに、被切断紙の印刷される部位においては、被切断紙に折り目を形成する程度のあまり大きくない咥え力で咥えられる。
【００２０】
したがって、固定咥え部材と可動咥え部材との間に挟まれた被切断紙は、咥え装置から抜け落ちることがないようにしっかり咥えられて強く圧迫される部位は、被切断紙の印刷されない部位及び多くともこれに隣接する部位に限られ、被切断紙の印刷される部位においては、接触している紙面間で互いの印刷画像が転写しあうほど強く圧迫されることがない。
【００２１】
また、差し刃が両回転胴の回転によって固定咥え部材と可動咥え部材との間をこじ開けるように作用しつつ固定咥え部材と可動咥え部材との間から抜かれるときでも、差し刃と固定咥え部材との間に挟まれた紙が強く圧迫されつつ擦られる部位は、被切断紙の印刷されない部位及び多くともこれに隣接する部位に限られ、被切断紙の印刷される部位においては、接触している紙面間で互いの印刷画像が転写しあう程強く圧迫されることがない。
【００２２】
そして、請求項５乃至請求項７の発明では、被切断紙の印刷されない部位及び多くともこれに隣接する部位は、固定咥え部材及び可動咥え部材のいずれか一方又は双方の咥え作用部に設けられた突起部によって強く咥えられるので、突起部がない場合より圧迫が強くなされ、被切断紙の咥えがより確実になる。
【００２３】
【発明の実施の形態】
次に、この発明の実施の形態を、図面を参照して説明する。
図１は、この発明に係る咥え装置１の要部である可動咥え部材１２（１２ｃ、１２ｓ）と固定咥え部材１３との関係を、この咥え装置１で咥えられる被切断紙ＦＳとの位置関係とともに示した説明図、図２は、可動咥え部材１２（１２ｓ）と固定咥え部材１３との関係を示す、図１におけるＡ−Ａ矢視断面図、図３は、可動咥え部材１２（１２ｃ）と固定咥え部材１３との関係を示す、図１におけるＢ−Ｂ矢視断面図、図４は、この発明に係る咥え装置１の一部断面展開図、図５は図４におけるＣ矢視一部断面図、図６は、この発明に係る咥え装置１が設けられる輪転機の折部の概略構成を示す説明図である。
【００２４】
図６に示すように、咥え装置１は、輪転機の折部Ｆの回転胴の１つである咥え胴Ｆ３に設けられる。
輪転機の折部Ｆは、対向するフレームＦＦ、ＦＦ（一方は図示せず）間に互いに中心線を平行にして、複数の回転胴、すなわち鋸胴Ｆ１、折胴Ｆ２、咥え胴Ｆ３が設けられ、更に、咥え胴Ｆ３から放出される折り畳まれた被切断紙ＦＳを受領羽根ＦＡで受領し、搬出コンベヤＦＣに放出する羽根車Ｆ４が設けられる。
【００２５】
輪転機の印刷部（図示せず）で画像を印刷された連続紙Ｗは、ニッピングローラーＦＮによって鋸胴Ｆ１と折胴Ｆ２との間に向けて送り込まれる。鋸胴Ｆ１と折胴Ｆ２との間に送り込まれた連続紙Ｗは、まず、折胴Ｆ２の軸方向にそって複数設けられた針Ｆ２１でその先行側の画像印刷されない部位ＦＳＮが保持されるとともに、両胴Ｆ１、Ｆ２の外周面近接位置で、鋸胴Ｆ１の鋸刃Ｆ１１が折胴Ｆ２の鋸刃受Ｆ２２へのくい込みによって前記針Ｆ２１による保持位置より若干先行する位置が切断されることが繰り返され、針Ｆ２１によって折胴Ｆ２の外周面に保持された被切断紙ＦＳとされ、折胴Ｆ２の回転に従って移動させられる。そして、この被切断紙ＦＳの中間部が折胴Ｆ２と咥え胴Ｆ３の外周面近傍位置に至り、折胴Ｆ２の差し刃Ｆ２３と咥え胴Ｆ３の咥え装置１とが前記折胴Ｆ２と咥え胴Ｆ３の外周面近接位置で相対すると、針Ｆ２１が折胴Ｆ２の外周面から折胴Ｆ２内に沈降して、被切断紙ＦＳを放すとともに、差し刃Ｆ２３が被切断紙ＦＳの中間部を咥え装置１に向けて突き出す。
【００２６】
差し刃２３より突き出された被切断紙ＦＳの長さ方向の中間部は、咥え胴Ｆ３の外周面近傍に咥え胴Ｆ３の中心線と平行に設けられた溝１１内に、溝１１の開口部１０から差し入れられ、溝１１内に設けられた可動咥え部材１２と固定咥え部材１３とによって咥えられる。可動咥え部材１２と固定咥え部材１３とによって咥えられた被切断紙ＦＳは、咥え胴Ｆ３の回転によって、中間部より先行側が折胴Ｆ２の回転する向きと逆に引き戻され、咥え胴Ｆ３の外周面上で、中間部より後行側の外側に重ね合わせられ、中間部で折り畳まれた状態で、咥え胴Ｆ３の回転に従って移動させられる。
【００２７】
咥え胴Ｆ３の回転に従って移動させられた被切断紙ＦＳは、その咥えられた中間部が羽根車Ｆ４の受領羽根ＦＡと相対する位置の近傍で解放され、受領羽根ＦＡ間の受領スペースで受領され、羽根車Ｆ４の回転によって搬出コンベヤＦＣ上に放出される。
【００２８】
以上記載の輪転機の折部Ｆにおける咥え装置１は、図１乃至図５に示すように構成される。
【００２９】
すなわち、咥え胴Ｆ３は、軸方向両側を形成する２組の側部材３１ａ、３１ｂ及び３２ａ、３２ｂと、これら側部材３１ａ、３１ｂまたは３２ａ、３２ｂのいずれかの組に両端を固定されて咥え胴Ｆ３の外周面を形成する、幾つかの外周面部材を有している（図示の実施の形態では外周面部材３３、３４のみを示す）。図４に示す側部材３２ａ、３２ｂにその両端側が取り付けられた外周面部材３３は、咥え胴Ｆ３の中心線と平行な一側端（溝１１の回転方向先行側）が、溝１１の開口部１０の咥え胴Ｆ３の中心線と平行な一側部を形成しており、当該一側部にそって、固定咥え部材１３が取り付けられている。
【００３０】
溝１１の内部には、咥え胴Ｆ３の軸方向に内装されたトーションバー１９によって、図５上で常時時計回り（咥え胴Ｆ３の回転方向とは逆方向）に角変位する向きの力を付与された角変位軸１８が、前記側部材３１ａ、３１ｂに角変位可能に支持されており、角変位軸１８の側部材３１ａを貫通した軸端側には、図示しないカムに従って所定の変位が許容されるカムフォロアー２３がアーム２１、ピン２２を介して取り付けられている。したがって、カムフォロアー２３は、角変位軸１８、アーム２１、ピン２２を介して作用するトーションバー１９の回復力によって、カム面に押し付けられており、後に説明するように角変位軸１８に取り付けられている可動咥え部材１２（１２ｃ、１２ｓ）は、角変位軸１８を介して作用するトーションバー１９の回復力によって、カムによって許容される範囲で、前記固定咥え部材１３から遠ざけられている。
【００３１】
角変位軸１８の前記側部材３１ａ、３１ｂ間には、角変位軸１８が貫通した状態で支持部材１４が適宜の間隔で複数、軸受１８ａを介して角変位可能に取り付けられている。
【００３２】
支持部材１４は、図２、図３に示すように、溝１１の開口部１０に近い側に、前記固定咥え部材１３側に倒れて傾斜するとともに、角変位軸１８の軸方向にそった、取付け座１４ｚを備えており、かつ溝１１の開口部１０から遠い側の角変位軸１８の軸方向にそった中央部に、角変位軸１８の外周面の一部を露出する適宜の幅の切欠きが設けられている。そして、この切欠きから露出した角変位軸１８の外周面には、ばね受部材１５が固定され、ばね受け部材１５は、角変位軸１８の中心線に対して固定咥え部材１３から遠い側において、支持部材１４とばね受け部材１５の間に圧縮ばね１６を装着し、角変位軸１８の中心線に対して固定咥え部材１３から近い側において、ストッパー１７を介して、ばね受け部材１５に対して支持部材１４が押し付けられる構造になっている。
【００３３】
更に、前記支持部材１４の取付け座１４ｚには、可動咥え部材１２（１２ｃ、１２ｓ）が取り付けられる。可動咥え部材１２は、側部材３１ａ、３１ｂに近接する支持部材１４に取り付けられる軸方向両側の可動咥え部材１２ｓ、１２ｓが取付け座１４ｚに接触した状態に取り付けられ、他の支持部材１４に取り付けられる可動咥え部材１２ｃがスペーサー１４ｓｐを介して取付け座１４ｚに取り付けられる。つまり、図示しないカムに従ったカムフォロアー２３の移動によって、角変位軸１８がトーションバー１９の回復力に抗して閉じ方向に移動し、可動咥え部材１２（１２ｃ、１２ｓ）の先端側（咥え作用部）が固定咥え部材１３の先端側（咥え作用部）に、両者の間隔が咥えられる被切断紙ＦＳの厚さよりも小さくなるように近接させられた時に、側部材３１ａ、３１ｂに近接する支持部材１４に取り付けられた軸方向両側の可動咥え部材１２ｓ、１２ｓの先端側と固定咥え部材１３の先端側の間隔、すなわち可動咥え部材１２ｓ、１２ｓの咥え作用部と固定咥え部材１３、１３の咥え作用部との咥え間隔が、他の支持部材１４に取り付けられた可動咥え部材１２ｃの先端側と固定咥え部材１３の先端側の間隔、すなわち可動咥え部材１２ｃの咥え作用部と固定咥え部材１３の咥え作用部との咥え間隔より図１に示すようにＬだけ小さくなっている。
【００３４】
そして、咥えられる被切断紙ＦＳの厚さが咥え間隔より大きい分は、支持部材１４が圧縮ばね１６の反発力に抗して角変位し、被切断紙ＦＳは、側部材３１ａ，３１ｂに近接する支持部材１４に取り付けられた軸方向両側の可動咥え部材１２ｓの咥え作用部と固定咥え部材１３の咥え作用部との咥え間隔及び他の支持部材１４に取付けられた可動咥え部材１２ｃの咥え作用部と固定咥え部材１３の咥え作用部との咥え間隔のいずれにおいても、圧縮ばね１６の圧縮量に比例する反発力で咥えられる機構になっている。
【００３５】
なお、他の支持部材１４に取り付ける可動咥え部材１２ｃの形状をスペーサー１４ｓｐが一体になった形状にし、取付け座１４ｚへの取り付けにあたって、スペーサー１４ｓｐを省略してよいことは勿論である。
【００３６】
また更に、軸方向両側の可動咥え部材１２ｓの咥え作用部の所定位置、つまり、咥えられる被切断紙ＦＳの画像印刷されない部位ＦＳＮと対応する部位の板厚は他の部位より固定咥え部材１３側へ厚くなっている。そしてこの位置に、その表面より固定咥え部材１３の咥え作用部に向かって突出する突起部１２ｔが設けられている。図示の実施の形態では、図１に詳細を示すように、突起部１２ｔを軸方向両側の可動咥え部材１２ｓにねじ結合したねじの頭によって形成したが、何らかの部材を結合するなど、他のいかなる方法によって形成した突起部（図示せず）であっても差し支えなく、その形状も、例えば咥え胴Ｆ３の中心線と平行な半円柱形状の突起など、咥えられる被切断紙ＦＳを損傷しない形状であれば如何様であっても差し支えないのは勿論である。また、突起部１２ｔは、例えば熱処理またはチタンやタングステンカーバイドで被覆するなどの硬化処理によって、その損耗を防止し、長期間使用できるようにしてよいことは勿論である。
【００３７】
以上記載した咥え装置１の動作は次のとおりである。
図６において、輪転機の稼動にともなって、折部Ｆでは、先に詳細に説明したように、外周面を近接させて平行に設けられた鋸胴Ｆ１、折胴Ｆ２、咥え胴Ｆ３が互いに対向する周面を同一の向きで一斉に回転し、それらの間に案内される連続紙Ｗを鋸胴Ｆ１の鋸刃Ｆ１１と折胴Ｆ２の鋸刃受けＦ２２の共同作用によって予め定められた長さの被切断紙ＦＳに切断し、この被切断紙ＦＳの長さ方向の中間部を、折胴Ｆ２の差し刃Ｆ２３により、近接位置で回転する咥え胴Ｆ３の外周面の溝１１に設けられた咥え装置１の可動咥え部材１２（１２ｃ、１２ｓ）と固定咥え部材１３間に差し入れる。咥え装置１に差し入れられた被切断紙ＦＳは、中間部が可動咥え部材１２（１２ｃ、１２ｓ）と固定咥え部材１３に咥えられ、そこで折り曲げられる。
【００３８】
すなわち、回転によって折胴Ｆ２の差し刃Ｆ２３と咥え胴Ｆ３の咥え装置１とが近接対向すると、折胴Ｆ２の差し刃Ｆ２３が被切断紙ＦＳの長さ方向の中間部を咥え胴Ｆ３の外周面の開口部１０から溝１１内の咥え装置１の可動咥え部材１２（１２ｃ、１２ｓ）と固定咥え部材１３の間に差し入れる。このタイミングに合わせて、咥え装置１では、図５に示すアーム２１が、このアーム２１にピン２２を介して取り付けられたカムフォロアー２３の、図示しないカムの形状にそった変位によって、反時計回りに角変位させられ、この角変位によって角変位軸１８がトーションバー１９の回復力に抗して反時計回り（咥え胴Ｆ３の回転方向）に角変位させられる。
【００３９】
すると、支持部材１４に取り付けられた可動咥え部材１２（１２ｃ、１２ｓ）が支持部材１４、ばね受け部材１５及び圧縮ばね１６の共同作用によって角変位軸１８とともに角変位させられて、差し入れられた被切断紙ＦＳの中間部を差し刃Ｆ２３とあわせて、固定咥え部材１３の咥え作用部と自らの咥え作用部との間に挟む。このとき、挟まれるものの厚さが可動咥え部材１２（１２ｃ、１２ｓ）の咥え作用部と固定咥え部材１３の咥え作用部との間隔より大きい分は、可動咥え部材１２（１２ｃ、１２ｓ）、支持部材１４を介して圧縮ばね１６を反発力に抗して圧縮して受け入れる。
【００４０】
引き続いて、折部Ｆの稼動にしたがって折胴Ｆ２と咥え胴Ｆ３が回転し、折胴Ｆ２の差し刃Ｆ２３と咥え胴Ｆ３の咥え装置１とが、折胴Ｆ２と咥え胴Ｆ３の近接対向位置から互いに遠ざかるとともに、差し刃Ｆ２３が咥え胴Ｆ３の咥え装置１から引き抜かれ、咥え装置１の可動咥え部材１２（１２ｃ、１２ｓ）の咥え作用部と固定咥え部材１３の咥え作用部とによって、被切断紙ＦＳは、中間部がヘアピン状に曲った状態で咥えられる。なお、可動咥え部材１２（１２ｃ、１２ｓ）の咥え作用部と固定咥え部材１３の咥え作用部との間の、差し刃Ｆ２３が引き抜かれて生じる間隙は、圧縮ばね１６の反発力によって解消される。
【００４１】
可動咥え部材１２（１２ｃ、１２ｓ）の咥え作用部と固定咥え部材１３の咥え作用部とによって咥えられた被切断紙ＦＳには、圧縮ばね１６の、圧縮量に比例する反発力が作用する。したがって、咥えられる被切断紙ＦＳの厚さが略均等であるときは、咥え作用部の対向する間隔が小さい可動咥え部材１２ｓの咥え作用部、特に、可動咥え部材１２ｓに設けられた突起部１２ｔの部分と固定咥え部材１３の咥え作用部との間において、可動咥え部材１２ｃの咥え作用部と固定咥え部材１３の咥え作用部との間より大きな咥え力が作用する。
【００４２】
すなわち、咥えられる被切断紙ＦＳは、幅方向両側の画像印刷されない部位ＦＳＮにおいては、この被切断紙ＦＳが咥え装置１から抜け落ちることがないような大きな咥え力で咥えられ、また被切断紙ＦＳの幅方向内側の画像印刷される部位ＦＳＰにおいては、被切断紙ＦＳにヘアピン状折りを形成する程度のあまり大きくない咥え力で咥えられる。つまり、しっかり咥えられて強く圧迫される部位は、被切断紙ＦＳの画像印刷されない部位ＦＳＮに限られ、被切断紙ＦＳの画像印刷される部位ＦＳＰにおいては、接触している紙面間で互いの印刷画像が転写しあうほど強く圧迫されることがない。なおこのとき、前記したようにしっかり咥えられて強く圧迫される部位は、被切断紙ＦＳの画像印刷されない部位ＦＳＮに限られることが望ましいが、画像印刷されない部位ＦＳＮの大きさによっては、この画像印刷されない部位に隣接する画像印刷される部位ＦＳＰの一部が画像印刷されない部位ＦＳＮとともに可動咥え部材１２ｓに設けられた突起部１２ｔと固定咥え部材１３の咥え作用部に挟まれて強く圧迫されることもある。この場合、画像印刷されない部位ＦＳＮに隣接する画像印刷される部位ＦＳＰの強く圧迫される部位で、接触している紙面間で互いの印刷画像の転写が生じることがあるが、それは極めて狭い範囲であるうえ、印刷画像のヘリのあまり重視されない位置であるため、商品価値の低下をまねくおそれがほとんどない。
【００４３】
また、差し刃Ｆ２３と固定咥え部材１３の咥え作用部との間に挟まれた被切断紙ＦＳにおいて、差し刃Ｆ２３が折胴Ｆ２と咥え胴Ｆ３の回転によって咥え装置１から引き抜かれるときに、差し刃Ｆ２３によって圧迫される力が強く作用して擦られる部位も、被切断紙ＦＳの画像印刷されない前記部位ＦＳＮ及び多くともこれに隣接する部位に限られる。したがって、差し刃Ｆ２３が咥え装置１から引き抜かれるときも、被切断紙ＦＳの画像印刷される部位ＦＳＰにおいては、接触している紙面間で互いの印刷画像が転写しあう程強く圧迫されることがない。
【００４４】
図示の実施の形態では、折胴Ｆ２と咥え胴Ｆ３の間で、これらの胴が５分の１回転するたびに、以上記載の差し刃２３の動作と咥え装置１の前記動作が繰り返され、中央部が咥え装置１に咥えられて、その前後が咥え胴Ｆ３の外周面で重ね合わせられた被切断紙ＦＳが、咥え胴Ｆ３の回転にしたがって移動する。
【００４５】
そして、被切断紙ＦＳを咥えた咥え装置１では、咥え胴Ｆ３によって折胴Ｆ２と咥え胴Ｆ３の近接対向位置から略５分の３回転分だけ変位すると、ピン２２を介して自らに取り付けられたカムフォロアー２３とともに、アーム２１が、角変位軸１８を介したトーションバー１９の回復力の作用によって、図示しないカムの形状にしたがって図５において時計周りに角変位し、可動咥え部材１２（１２ｃ、１２ｓ）の咥え作用部が固定咥え部材１３の咥え作用部から遠ざかる。この動作によって、咥え装置１に咥えられていた被切断紙ＦＳが解放される。解放された被切断紙ＦＳは、中央部で折り曲げられた状態で、中央部側から羽根車Ｆ４の受領羽根ＦＡ間の受領スペースに落下し、そこに受け止められ、更に、羽根車Ｆ４の回転にしたがって搬出コンベヤＦＣ上に達し、受領羽根ＦＡ間から図示しない適宜の手段で搬出コンベヤＦＣの搬送面に放出され、搬出コンベヤＦＣによって折機Ｆから搬出される。
【００４６】
以上、図示の実施の形態、つまり、被切断紙ＦＳの画像印刷されない部位ＦＳＮ（被切断紙ＦＳの両側部）を咥える可動咥え部材１２の咥え作用部と、固定咥え部材１３の咥え作用部との間隔を、被切断紙ＦＳの画像印刷される部位ＦＳＰを咥える可動咥え部材１２の咥え作用部と固定咥え部材１３の咥え作用部との間隔より狭く設けるにあたって、被切断紙ＦＳの画像印刷される部位ＦＳＰを咥える可動咥え部材１２の咥え作用部が、被切断紙ＦＳの画像印刷されない部位ＦＳＮを咥える可動咥え部材１２の咥え作用部より、被切断紙ＦＳを咥える固定咥え部材１３の咥え作用部に対して作用方向に後退させて向けた構成の実施の形態について説明したが、この発明はこの形態に限定するものではない。
【００４７】
すなわち、被切断紙ＦＳの画像印刷される部位ＦＳＰを咥える固定咥え部材１３の咥え作用部が、被切断紙ＦＳの画像印刷されない部位ＦＳＮを咥える固定咥え部材１３の咥え作用部より、被切断紙ＦＳを咥える可動咥え部材１２の咥え作用部に対して後退させて設けた構成であってもよく、また、被切断紙ＦＳの画像印刷される部位ＦＳＰを咥える可動咥え部材１２の咥え作用部が、被切断紙ＦＳの画像印刷されない部位ＦＳＮを咥える可動咥え部材１２の咥え作用部より、被切断紙ＦＳを咥える固定咥え部材１３の咥え作用部に対して作用方向に後退させて設けるとともに、被切断紙ＦＳの画像印刷される部位部分ＦＳＰを咥える固定咥え部材１３の咥え作用部が、被切断紙ＦＳの画像印刷されない部位ＦＳＮを咥える固定咥え部材１３の咥え作用部より、被切断紙ＦＳを咥える可動咥え部材１２の咥え作用部に対して作用方向に後退させて設けた構成であってもよく、いずれの構成であっても、前記図示の実施の形態で説明したのと同様の作用効果が得られることは理解できるであろう。
【００４８】
また、咥え装置１において、共同で咥え作用する互いに相対する咥え部材に向けて突起させて設ける突起部についても、前記のように被切断紙ＦＳの画像印刷されない部位ＦＳＮを咥える軸方向両側の可動咥え部材１２ｓの咥え作用部に設けた構成に限定されるものではなく、被切断紙ＦＳの画像印刷されない部位ＦＳＮを咥える固定咥え部材１３の咥え作用部に設けた構成であっても、被切断紙ＦＳの画像印刷されない部位ＦＳＮを咥える可動加え部材１２の咥え作用部と被切断紙ＦＳの画像印刷されない部位ＦＳＮを咥える固定加え部材１３の咥え作用部との双方に設けた構成であってもよく、いずれの構成であっても、前記図示の実施の形態で説明したのと同様の作用効果が得られることは理解できるであろう。
【００４９】
【発明の効果】
以上記載のとおりのなので、この発明の実施により、折胴と咥え胴を有する折機において、咥えられる被切断紙は、画像印刷されない部位及び多くともこれに隣接する部位においては、この被切断紙が咥え装置から抜け落ちることがないような大きな咥え力で咥えられ、また被切断紙の画像印刷される部位においては、被切断紙にヘアピン状折りを形成する程度のあまり大きくない咥え力で咥え、しっかり咥えられて強く圧迫される部位は、被切断紙の画像印刷されない部位及び多くともこれに隣接する部位に限られ、被切断紙の画像印刷される部位においては、接触している紙面間で互いの印刷画像が転写しあうほど強く圧迫されることがなくなり、これにより、稼動速度の増大と咥えられる紙の質量の増大によって遠心力及び咥えられる紙の先行側半分の咥え胴から離れる向きに作用する慣性力が大きくなっても、咥えた紙を落すことがないように、大きな力でしっかり咥えることが可能になった。また、このように大きな力でしっかり咥えても、上記したように画像印刷される部位においては、あまり大きくない咥え力で咥えられることにより、咥えられる紙の接触している紙面間で互いの印刷画像が転写することがなく、折り出す折帳製品の印刷品質を良好に維持し、商品価値を良好に維持することが可能になった。
【図面の簡単な説明】
【図１】この発明に係る咥え装置の要部である可動咥え部材と固定咥え部材との関係を、この咥え装置で咥えられる被切断紙との位置関係とともに示した説明図である。
【図２】可動咥え部材と固定咥え部材との関係を示す、図１におけるＡ−Ａ矢視断面図である。
【図３】可動咥え部材と固定咥え部材との関係を示す、図１におけるＢ−Ｂ矢視断面図である。
【図４】この発明に係る咥え装置の一部断面展開図である。
【図５】図４におけるＣ矢視一部断面図である。
【図６】この発明に係る咥え装置が設けられる輪転機の折部の概略構成を示す説明図である。
【符号の説明】
１…咥え装置  １０…開口部  １１…溝  １２、１２ｃ、１２ｓ…可動咥え部材
１２ｔ…突起部  １３…固定咥え部材  １４…支持部材  １４ｓｐ…スペーサー
１４ｚ…取付け座  １５…ばね受け部材  １６…圧縮ばね  １７…ストッパー
１８…角変位軸  １８ａ…軸受  １９…トーションバー
２１…アーム  ２２…ピン  ２３…カムフォロアー
３１ａ、３１ｂ、３２ａ、３２ｂ…側部材  ３３、３４…外周面部材
Ｆ…折部  Ｆ１…鋸胴  Ｆ２…折胴  Ｆ３…咥え胴  Ｆ４…羽根車
Ｆ１１…鋸刃  Ｆ２１…針  Ｆ２２…鋸刃受け  Ｆ２３…差し刃
ＦＡ…受領羽根  ＦＣ…搬出コンベヤ  ＦＦ…フレーム
ＦＮ…ニッピングローラー  ＦＳ…被切断紙  ＦＳＮ…画像印刷されない部位
ＦＳＰ…画像印刷される部位  Ｗ…連続紙。
【図１】
0003697694.tif 000002
【図２】
0003697694.tif 000003
【図３】
0003697694.tif 000004
【図４】
0003697694.tif 000005
【図５】
0003697694.tif 000006
【図６】
0003697694.tif 000007